(57)【要約】【課題】枕２の上下位置を調整可能なシートであって、調整時に異音が無く、着座者の髪を引っかける恐れが無く、調整作業が容易で水平度を良好にでき、メンテナンスが容易なシートを提供する。【解決手段】ベルト１と、枕本体２５を支持する枕ベース２１を備えた枕２を有する。枕ベース２１は背当て面５１０に当接される当接板部２１０を有し、当接板部２１０にはベルト１を背当て面５１０との当接側から反対側へ抜けて当接側へ戻るように波状に挿通可能な偶数個のベルト孔２２ａ，２２ｂが並設されている。一端をシートバック５１に固着したベルト１を他端からベルト孔２２ａ，２２ｂに波状に挿通して枕２をベルト１に取り付け、ベルト１の他端をシートバック５１に面ファスナー１２で取り付けて成る。【選択図】      図１
2010035888.tif 000002
【特許請求の範囲】
【請求項１】
シートバックの背当て面に上下方向を向けて設けられるベルトと、枕本体をその裏側から支持する枕ベースを備えた枕と、を有し、
前記枕ベースはシートバックの背当て面に当接される当接板部を有し、該当接板部には前記ベルトをシートバックの背当て面との当接側から反対側へ抜けて当接側へ戻るように波状に挿通可能な偶数個のベルト孔がベルト方向に並設されており、
前記ベルトに取り付けられた枕が該ベルトに沿って移動可能であり且つ該ベルトの任意の位置で停止保持可能であることを特徴とするシート。
【請求項２】
請求項１に於いて、
前記ベルト孔の各々は前記ベルトの幅と略同じ長さの長孔である、
ことを特徴とするシート。
【請求項３】
請求項１又は２に於いて、
前記ベルトとして複数本のベルトが平行に設けられ、
前記当接板部には前記複数本のベルトに対応して各々偶数個のベルト孔から成るベルト孔の列が複数列平行に設けられている、
ことを特徴とするシート。
【請求項４】
請求項１〜３の何れかに於いて、
前記枕ベースは前記枕本体の裏面に固着される固着部を有し、該枕本体の裏面がシートバックの背当て面から離隔するように前記当接板部は前記固着部から凸設されている、
ことを特徴とするシート。
【請求項５】
請求項１〜４の何れかに於いて、
前記ベルトは、その一端をシートバックに固着されており、他端から前記ベルト孔に波状に挿通することにより枕をベルトに取り付けた後、該他端が面ファスナーによりシートバックの背面側に取り付けられる、
ことを特徴とするシート。
【発明の詳細な説明】
【技術分野】
【０００１】
本発明は、シートバック（背ずり）に枕を備えたシートに関し、詳しくは、枕の位置を上下方向の適宜の位置に設定可能なシートに関する。本発明のシートは、例えば、鉄道車両、長距離高速バス、自動車等に搭載することができる。
【背景技術】
【０００２】
実用新案登録第３１３８２７４号公報（特許文献１）には、シートバックの前面側に複数本のファスナーを適宜の間隔を空けてそれぞれ上下方向に向けて平行に設け、各ファスナーのそれぞれ２個のスライダによりネックレストを支持し、各スライダ位置の調整によりネックレストの上下位置を調整自在とした車両用シートが記載されている。
【特許文献１】実用新案登録第３１３８２７４号公報。
【発明の開示】
【発明が解決しようとする課題】
【０００３】
特許文献１の車両用シートは、以下の不具合を有する。
（１）ファスナーを用いているためファスナーの操作時に異音がする。
（２）ファスナーをシートバックの前面側に設けているため、着座者の髪が長い場合には引っかけ易くなる。
（３）ネックレストの上下位置を複数本のファスナーのそれぞれ２個のスライダによって調整するものであるため、調整作業が煩雑である。また、各ファスナーのスライダの上下位置を揃えることが困難であるため、ネックレストの水平度に問題が生じ易い。
（４）ファスナーをシートバックに一体に設けているため、不具合が生じた場合のメンテナンス作業が煩雑である。
（５）シートバックの前面側に設けたファスナーによりネックレストを支持するものであるため、ネックレストをシートバックの前面から更に上の位置まで退避させることができず、ネックレストが不要な着座者にとっては邪魔になる。
本発明は、上記した不具合の解消を目的とする。
【課題を解決するための手段】
【０００４】
本発明は、下記［１］〜［５］のように構成される。なお、本項及び次項（「課題を解決するための手段」「発明の効果」）に於いて付した各符号は、理解を容易にするためであり、本発明を符号の構成に限定する趣旨ではない。
［１］構成１
シートバック５１の背当て面５１０に上下方向を向けて設けられるベルト１と、枕本体２５をその裏側から支持する枕ベース２１を備えた枕２と、を有し、
前記枕ベース２１はシートバック５１の背当て面５１０に当接される当接板部２１０を有し、該当接板部２１０には前記ベルト１をシートバック５１の背当て面５１０との当接側から反対側へ抜けて当接側へ戻るように波状に挿通可能な偶数個のベルト孔２２ａ，２２ｂがベルト方向に並設されており、
前記ベルト１に取り付けられた枕２が該ベルト１に沿って移動可能であり且つ該ベルト１の任意の位置で停止保持可能であることを特徴とするシート。
【０００５】
［２］構成２
構成１に於いて、
前記ベルト孔２２ａ，２２ｂの各々は前記ベルト１の幅と略同じ長さの長孔である、
ことを特徴とするシート。
［３］構成３
構成１又は２に於いて、
前記ベルトとして複数本のベルト１Ｌ，１Ｒが平行に設けられ、
前記当接板部２１０には前記複数本のベルト１Ｌ，１Ｒに対応して各々偶数個のベルト孔２２ａＬ，２２ｂＬ／２２ａＲ，２２ｂＲから成るベルト孔の列が複数列平行に設けられている、
ことを特徴とするシート。
［４］構成４
構成１〜３の何れかに於いて、
前記枕ベース２１は前記枕本体２５の裏面に固着される固着部２１１，２１２を有し、該枕本体２５の裏面がシートバック５１の背当て面５１０から離隔するように前記当接板部２１０は前記固着部２１１，２１２から凸設されている、
ことを特徴とするシート。
［５］構成５
構成１〜４の何れかに於いて、
前記ベルト１は、その一端をシートバック５１に固着されており、他端から前記ベルト孔２２ａ，２２ｂに波状に挿通することにより枕２をベルト１に取り付けた後、該他端が面ファスナー１２によりシートバック５１の背面側に取り付けられる、
ことを特徴とするシート。
【発明の効果】
【０００６】
構成１は、シートバック５１の背当て面５１０に上下方向を向けて設けられるベルト１と、枕本体２５をその裏側から支持する枕ベース２１を備えた枕２と、を有し、前記枕ベース２１はシートバック５１の背当て面５１０に当接される当接板部２１０を有し、該当接板部２１０には前記ベルト１をシートバック５１の背当て面５１０との当接側から反対側へ抜けて当接側へ戻るように波状に挿通可能な偶数個のベルト孔２２ａ，２２ｂがベルト方向に並設されており、前記ベルト１に取り付けられた枕２が該ベルト１に沿って移動可能であり且つ該ベルト１の任意の位置で停止保持可能であることを特徴とするシートであるため、上下位置の調整時にファスナーのような異音が生じない。また、着座者の髪を挟み込む恐れもない。また、上下位置の調整にはベルト１に対する当接板部２１０の位置を調整すれば足りるため、作業が簡単であり、水平度にも問題は無い。
【０００７】
構成２や３は、構成１の効果をさらに強く確実に奏し得る効果がある。。
構成４は構成１〜３の何れかに於いて、前記枕ベース２１は前記枕本体２５の裏面に固着される固着部２１１，２１２を有し、該枕本体２５の裏面がシートバック５１の背当て面５１０から離隔するように前記当接板部２１０は前記固着部２１１，２１２から凸設されている、ことを特徴とするシートであるため、構成１〜３のシートが奏する効果に加えて、さらに、枕本体２５とシートバック５１の背当て面５１０との摺接を防止できる効果がある。また、ベルト１と表皮２６との摺接や、ベルト１とウレタン２５０との摺接を防止できる効果もある。
構成５は、構成１〜４の何れかに於いて、前記ベルト１は、その一端をシートバック５１に固着されており、他端から前記ベルト孔２２ａ，２２ｂに波状に挿通することにより枕２をベルト１に取り付けた後、該他端が面ファスナー１２によりシートバック５１の背面側に取り付けられることを特徴とするシートであるため、構成１〜４が奏する効果に加えて、さらに、枕２をシートバック５１の背当て面５１０を外れた上の位置まで退避させることができる効果がある。このため、着座者が枕２が不要な場合、該着座者の邪魔にならないようにできる。また、メンテナンス作業も容易である。
【発明を実施するための最良の形態】
【０００８】
図面を参照して、本発明の実施の形態を説明する。図１（ａ）は枕２を分解して示す斜視図、（ｂ）は枕２の断面図、（ｃ）はシートバック５１にベルト１を設けた様子を示す斜視図である。図２（ａ）はベルトを２本用いた構成の説明図、（ｂ）は枕２を上下移動させる様子を示す斜視図である。
【０００９】
図示のように、本実施の形態のシートは、シートバック５１とシートクッション５２から成るシート（図２（ｂ）参照）の背当て面５１０上に、シートバック５１の上下方向に向けて設けたベルト１を用いて、枕２を上下位置調整可能に設けたものである。
【００１０】
シートバック５１の背当て面５１０には、ベルト１の一端１１が、図１（ｃ）に示すように縫いつける等の手法により固着されており、他端は、面ファスナー１２によりシートバック５１の背面側に着脱自在とされている。なお、シートバック５１の背面側の対応部位には、面ファスナー１２の対応部材が設けられているものとする。
【００１１】
枕２をベルト１を用いてシートバック５１に取り付ける際には、まず、ベルト１の前記他端側（面ファスナー１２の側）を先頭として、図１（ｂ）に示すように、枕ベース２１のベルト孔２２ｂ，２２ａに、波状に順に挿通する。即ち、枕ベース２１の当接板部２１０の長孔（ベルト孔）２２ｂに、背当て面５１０との当接側（図１（ａ）で手前側）からベルト１の前記他端側（面ファスナー１２の側）を挿通して反対側へ抜けさせた後、該反対側から長孔（ベルト孔）２２ａに挿通して当接側へ戻す。これにより、枕ベース２１がベルト１に取り付けられる。このとき、ベルト１が長孔（ベルト孔）２２ｂ，２２ａ間で弛まないようにする。
【００１２】
次に、ベルト１の前記他端に設けられている面ファスナー１２を、シートバック５１の背面側の対応部材に連結する。これにより、枕ベース２１がシートバック５１に取り付けられる。最後に、枕ベース２１の固着部２１１，２１２に、枕本体２５の裏面側の対応部位２５１，２５２を固着する。これは、例えば、枕ベース２１の固着部２１１，２１２と枕本体の対応部位２５１，２５２に、一対の面ファスナーを設けることで実現できる。なお、他の公知の手法によって取り付けるようにしてもよい。また、枕本体２５と枕ベース２１とは、予め組付けられていてもよい。なお、２６は枕本体２５の表皮、２５０は枕本体２の内部を構成するウレタンである。
【００１３】
このように構成されたシートの枕２は、枕ベース２１のベルト孔２２ａ，２２ｂとベルト１との間に適度の摩擦が有るため、枕２を手で持ってベルト１に沿って上下方向へ力を加えて押す／引くという簡単な操作をするだけで、所望の位置へ移動させて該所望の位置に停止保持させることができる。ここで、適度な摩擦は、例えば、ベルト孔２２ａ，２２ｂの幅とベルト１の幅とを略同一とすることで実現することができる。他に、素材の選択等で実現してもよい。
【００１４】
また、ベルト孔２２ａ，２２ｂとベルト１を用いて移動可能・停止保持可能とする構成であるため、移動時に異音が無く、着座者の髪を引っ掛ける恐れも無い。また、移動後に枕２が傾く等して枕２の水平度が損なわれるといった不具合も生じ難い。
また、枕２が不要な着座者は、枕２をベルト１に沿ってシートバック５１の上部の縁まで上げて退避させることもできる。
【００１５】
また、本実施の形態では、枕ベース２の当接板部２１０が、固着部２１１，２１２よりも凸設されている（図１（ａ）（ｂ）参照）ため、背当て面５１０から枕本体２５の裏面が浮いた状態となり、上下調節のための移動時にも両者が摺接することが無く、背当て面５１０の表面の荒れを防止できる。
【００１６】
上記では、ベルトを１本のみ用いた構成を説明したが、本発明はこのような構成に限定されない。例えば、図２（ａ）に示すように、ベルトとして、ベルト１Ｌと１Ｒの２本を用いてもよい。その場合には、枕ベースの当接板部２１０側に、対応するベルト孔２２ａＬ，２２ｂＬと２２ａＲ，２２ｂＲが必要となる。なお、３本以上用いてもよい。
また、上記では、ベルト孔をベルト方向に２個並設した構成を説明したが、４個等の偶数個並設してもよい。その場合、移動が重くなる恐れはあるが、停止保持を確実に行うことができる効果がある。
【図面の簡単な説明】
【００１７】
【図１】（ａ）は枕２を分解して示す斜視図、（ｂ）は枕２の断面図、（ｃ）はシートバック５１にベルト１を設けた様子を示す斜視図。
【図２】（ａ）はベルトを２本用いた構成の説明図、（ｂ）は枕２を上下移動させる様子を示す斜視図。
【符号の説明】
【００１８】
１  ベルト
１Ｌ  ベルト
１Ｒ  ベルト
２  枕
２１  枕ベース
２１０  当接板部
２１ａ  当接板部の上辺部
２１ｂ  当接板部の中辺部
２１ｃ  当接板部の下辺部
２１１  固着部
２１２  固着部
２２ａ  ベルト孔
２２ａＬ  ベルト孔
２２ａＲ  ベルト孔
２２ｂ  ベルト孔
２２ｂＬ  ベルト孔
２２ｂＲ  ベルト孔
２５  枕本体
２５１  枕本体の被固着部
２５２  枕本体の被固着部
５１  シートバック
５１０  背当て面
５２  シートクッション
【図１】
2010035888.tif 000003
【図２】
2010035888.tif 000004